(57)【要約】【課題】ユーザの意欲を高め、ユーザが継続して生活習慣の改善を行えるような健康管理支援装置を提供することを目的としている。【解決手段】健康管理支援装置は、少なくとも自己管理情報取得部１８と、目標達成率生成部１９と、身体管理データベース２０とを有し、上記自己管理情報取得部１８は、体重，歩数等の日々の自己管理情報を取得し、身体管理データベース２０には、少なくとも減量目標値及び身体情報が記憶されている。そして、上記目標達成率生成部１９は、上記減量目標値及び身体情報、且つ、上記自己管理情報に基づいて減量目標値の達成率を生成することができる。【選択図】図２
2012128768.tif 000002
【特許請求の範囲】
【請求項１】
ユーザより入力された当該ユーザの身体的特徴等を表す身体情報を取得する身体情報取得手段と、
予め前記ユーザの身体の正常又は異常の別を判断するための判定基準が格納されている健康判定基準データベースと、
前記身体情報取得手段によって取得した身体情報と前記健康判定基準データベースに格納されている判定基準に基づいて診断結果を生成する診断結果生成手段と、
前記診断結果生成手段によって生成された診断結果に基づいて前記ユーザの減量目標値を生成すると共に、その減量目標値に前記ユーザが計画的に到達する方法を提案する目標設定支援手段と、
前記ユーザの了承を得た前記目標設定支援手段によって提案された減量目標値及び前記身体情報取得手段によって取得した前記ユーザの身体情報が少なくとも記憶されている身体管理データベースと、
前記ユーザより入力された当該ユーザの体重，歩数等の日々の自己管理情報を取得する自己管理情報取得手段と、
前記身体管理データベースに記憶されている減量目標値及び身体情報、且つ、前記自己管理情報取得手段によって取得した自己管理情報に基づいて減量目標値の達成率を生成する目標達成率生成手段とを有してなることを特徴とする健康管理支援装置。
【請求項２】
前記身体管理データベースには、複数のユーザの身体情報等が記憶されてなり、
その記憶されている複数のユーザ情報を用いて、ユーザ間の身体情報等のランキングを生成するランキング生成手段をさらに有してなることを特徴とする請求項１に記載の健康管理支援装置。
【請求項３】
前記身体管理データベースには、複数のユーザの身体情報等が記憶されてなり、
その記憶されている複数のユーザ情報を用いて、ユーザ間の身体情報等の偏差値を生成する偏差値生成手段をさらに有してなることを特徴とする請求項１又は２に記載の健康管理支援装置。
【請求項４】
少なくとも前記自己管理情報取得手段にて取得したユーザの日々の自己管理情報を用いて、当該情報に対応するキャラクタを生成するキャラクタ生成手段をさらに有してなることを特徴とする請求項１〜３のいずれか１項に記載の健康管理支援装置。
【発明の詳細な説明】
【技術分野】
【０００１】
本発明は、ユーザの健康管理を支援する健康管理支援装置に関する。
【背景技術】
【０００２】
近年、健康指向が高まり、ユーザの生活習慣の改善、すなわち、ユーザの健康管理を支援するため、ユーザ個人の健康情報を遠隔のサーバ装置（健康管理支援装置）で管理するシステムが知られている（例えば、特許文献１）。この従来の健康管理支援装置は、ユーザの健康管理を支援するため、ユーザの身体的特徴を表す身体情報を記録し、その記録した情報をグラフ化することができるというものである。
【先行技術文献】
【特許文献】
【０００３】
【特許文献１】特開２００４−２２７５２２号公報
【発明の概要】
【発明が解決しようとする課題】
【０００４】
しかしながら、上記のような健康管理支援装置は、単に、ユーザの身体的特徴を表す身体情報を記録し、その記録した情報をグラフ化するだけで、ユーザの意欲を高め、ユーザに生活習慣の継続改善を促すようなものではなかった。そのため、ユーザは、従来の健康管理支援装置を用いても、意欲がわかず、生活習慣の改善を途中であきらめてしまうという問題があった。
【０００５】
そこで本発明は、上記問題に鑑み、ユーザの意欲を高め、ユーザが継続して生活習慣の改善を行えるような健康管理支援装置を提供することを目的としている。
【課題を解決するための手段】
【０００６】
上記課題を解決するための手段を、後述する実施形態の参照符号を付して説明する。請求項１に係る健康管理支援装置は、ユーザより入力された当該ユーザの身体的特徴等を表す身体情報を取得する身体情報取得手段（身体情報取得生成部１３）と、予め前記ユーザの身体の正常又は異常の別を判断するための判定基準が格納されている健康判定基準データベース１５と、前記身体情報取得手段（身体情報取得生成部１３）によって取得した身体情報と前記健康判定基準データベース１５に格納されている判定基準に基づいて診断結果を生成する診断結果生成手段（診断結果生成部１６）と、前記診断結果生成手段（診断結果生成部１６）によって生成された診断結果に基づいて前記ユーザの減量目標値を生成すると共に、その減量目標値に前記ユーザが計画的に到達する方法を提案する目標設定支援手段（目標設定取得生成部１７）と、前記ユーザの了承を得た前記目標設定支援手段（目標設定取得生成部１７）によって提案された減量目標値及び前記身体情報取得手段（身体情報取得生成部１３）によって取得した前記ユーザの身体情報が少なくとも記憶されている身体管理データベース２０と、前記ユーザより入力された当該ユーザの体重，歩数等の日々の自己管理情報を取得する自己管理情報取得手段（自己管理情報取得部１８）と、前記身体管理データベース２０に記憶されている減量目標値及び身体情報、且つ、前記自己管理情報取得手段（自己管理情報取得部１８）によって取得した自己管理情報に基づいて減量目標値の達成率を生成する目標達成率生成手段（目標達成率生成部１９）とを有してなることを特徴としている。
【０００７】
また、請求項２に係る健康管理支援装置は、上記請求項１に記載の健康管理支援装置において、前記身体管理データベース２０には、複数のユーザの身体情報等が記憶されてなり、その記憶されている複数のユーザ情報を用いて、ユーザ間の身体情報等のランキングを生成するランキング生成手段（ランキング生成部２１）をさらに有してなることを特徴としている。
【０００８】
さらに、請求項３に係る健康管理支援装置は、上記請求項１又は２に記載の健康管理支援装置において、前記身体管理データベース２０には、複数のユーザの身体情報等が記憶されてなり、その記憶されている複数のユーザ情報を用いて、ユーザ間の身体情報等の偏差値を生成する偏差値生成手段（偏差値生成部５１）をさらに有してなることを特徴としている。
【０００９】
そして、請求項４に係る健康管理支援装置は、上記請求項１〜３のいずれか１項に記載の健康管理支援装置において、少なくとも前記自己管理情報取得手段（自己管理情報取得部１８）にて取得したユーザの日々の自己管理情報を用いて、当該情報に対応するキャラクタを生成するキャラクタ生成手段（キャラクタ生成部１０２）をさらに有してなることを特徴としている。
【発明の効果】
【００１０】
次に、本発明の効果について、図面の参照符号を付して説明する。まず、請求項１の発明に係る健康管理支援装置では、ユーザより入力された当該ユーザの身体的特徴等を表す身体情報を身体情報取得手段（身体情報取得生成部１３）にて取得し、診断結果生成手段（診断結果生成部１６）にてその取得した身体情報の診断結果を健康判定基準データベース１５に格納されている身体の正常又は異常の別を判断するための判定基準に基づいて生成する。そして、その生成した診断結果に基づいて目標設定支援手段（目標設定取得生成部１７）にて上記ユーザの減量目標値を生成すると共に、その減量目標値に上記ユーザが計画的に到達する方法を提案する。それゆえ、本発明によれば、ユーザに科学的根拠に基づいた診断結果を提示することが可能となり、さらには、当該ユーザに対してその診断結果に基づいた有効な減量方法を提案することができる。
【００１１】
また、本発明によれば、自己管理情報取得手段（自己管理情報取得部１８）にて取得した体重，歩数等の日々の自己管理情報と身体管理データベース２０に記憶されている減量目標値及び身体情報に基づいて目標達成率生成手段（目標達成率生成部１９）にて減量目標値の達成率を生成することができる。それゆえ、本発明によれば、ユーザは減量目標値に対する達成率を確認することができるため、達成率を増加させようという意欲が高まり、それによって、ユーザは継続して生活習慣の改善を行うことができる。
【００１２】
一方、請求項２の発明によれば、上記健康管理支援装置は、さらにランキング生成手段（ランキング生成部２１）を有している。そして、上記身体管理データベース２０には、複数のユーザの身体情報等が記憶され、上記ランキング生成手段（ランキング生成部２１）は、上記複数のユーザ情報を用いて、ユーザ間の身体情報等のランキングを生成することができる。それゆえ、ユーザはランキングを上げようという意欲が高まり、それによって、より継続して生活習慣の改善を行うことができる。
【００１３】
また、請求項３の発明によれば、上記健康管理支援装置は、さらに偏差値生成手段（偏差値生成部５１）を有している。そして、上記身体管理データベース２０には、複数のユーザの身体情報等が記憶され、上記偏差値生成手段（偏差値生成部５１）は、上記複数のユーザ情報を用いて、ユーザ間の身体情報等の偏差値を生成することができる。それゆえ、ユーザは偏差値を上げようという意欲が高まり、それによって、より継続して生活習慣の改善を行うことができる。
【００１４】
そして、請求項４の発明によれば、上記健康管理支援装置は、さらにキャラクタ生成手段（キャラクタ生成部１０２）を有している。そして、そのキャラクタ生成部１０２は、少なくとも上記自己管理情報取得手段（自己管理情報取得部１８）にて取得したユーザの日々の自己管理情報を用いて、当該情報に対応するキャラクタを生成することができる。それゆえ、ユーザは、より良いキャラクタを生成しようという意欲が高まり、それによって、さらに継続して生活習慣の改善を行うことができる。
【図面の簡単な説明】
【００１５】
【図１】本発明に係る健康康管理支援装置を用いて、健康管理支援システムを構築した場合の説明図である。
【図２】本発明の第１実施形態に係る健康管理支援装置のブロック図である。
【図３】本発明の第１実施形態に係る健康管理支援システムを用いて、ユーザが減量目標値を設定するまでの処理を説明するフローチャート図である。
【図４】同実施形態に係る健康管理支援システムを用いて、ユーザが自身のランキングを確認するまでの処理を説明するフローチャート図である。
【図５】同実施形態に係る健康管理支援システムを用いて、ユーザが自身の身体的特徴等を表す身体情報を入力する際の画面例を示す図である。
【図６】図５に示す画面例を用いてユーザが入力した情報に基づく当該ユーザの健康診断結果を表す画面例を示す図である。
【図７】同実施形態に係る健康管理支援システムを用いて、ユーザが自身の減量目標値を設定する際の画面例を示す図である。
【図８】同実施形態に係る健康管理支援システムを用いて、ユーザが日々の自己管理情報を入力する際の画面例を示す図である。
【図９】図８に示す画面例を用いてユーザが入力した情報に基づく当該ユーザの目標達成率を表す画面例を示す図である。
【図１０】図８に示す画面例を用いてユーザが入力した情報に基づく当該ユーザの体重ランキングを表す画面例を示す図である。
【図１１】本発明の第２実施形態に係る健康管理支援装置のブロック図である。
【図１２】同実施形態に係る健康管理支援装置を用いた健康管理支援システムを用いて、ユーザが図８に示す画面例を用いて入力した情報に基づく当該ユーザの目標達成率を表す画面例を示す図である。
【図１３】同実施形態に係る健康管理支援装置を用いた健康管理支援システムを用いて、図８に示す画面例を用いてユーザが入力した情報に基づく当該ユーザの偏差値を表す画面例を示す図である。
【図１４】本発明の第３実施形態に係る健康管理支援装置のブロック図である。
【図１５】同実施形態に係るキャラクタ生成基準データベースのテーブル図である。
【図１６】（ａ）は同実施形態に係る身体データベースに格納されている一例を示す図、（ｂ）は（ａ）に格納されている数値を用いて、同実施形態に係るキャラクタ生成部にて算出したキャラクタのパラメータ図である。
【図１７】同実施形態に係る健康管理支援装置を用いた健康管理支援システムを用いて、図８に示す画面例を用いてユーザが入力した情報に基づく当該ユーザの目標達成率を表す画面例を示す図である。
【図１８】同実施形態に係る健康管理支援装置を用いた健康管理支援システムを用いて、図８に示す画面例を用いてユーザが入力した情報に基づく当該ユーザのキャラクタを表す画面例を示す図である。
【発明を実施するための形態】
【００１６】
＜第１実施形態＞
以下、本発明に係る健康管理支援装置の第１実施形態について、図面を参照して具体的に説明する。図１は、本発明の第１実施形態に係る健康管理支援装置を用いて、健康管理支援システムを構築した場合の説明図である。健康管理支援システムは、図１に示すように、健康管理支援装置１と複数の端末２とがネットワークＮを介して接続され、端末２は、ＰＣ（Ｐｅｒｓｏｎａｌ  Ｃｏｍｐｕｔｅｒ）や携帯電話、ＰＤＡ（Ｐｅｒｓｏｎａｌ  Ｄｉｇｉｔａｌ  Ａｓｓｉｓｔａｎｃｅ）等で構成されてなるものである。
【００１７】
健康管理支援装置１は、図２に示すように、ＣＰＵ等からなる中央制御部１０と、個人情報取得生成部１１と、個人情報データベース１２と、身体情報取得生成部１３と、身体情報演算部１４と、健康判定基準データベース１５と、診断結果生成部１６と、目標設定取得生成部１７と、自己管理情報取得部１８と、目標達成率生成部１９と、身体管理データベース２０と、ランキング生成部２１と、無線ＬＡＮ，有線ＬＡＮ，ダイヤルアップ等の通信手段でネットワークＮに接続が可能な通信部２２とで構成されている。
【００１８】
個人情報取得生成部１１は、図１に示す端末２を用いてユーザから入力されたメールアドレス，生年月日，性別，氏名あるいはニックネーム等を取得し、そのユーザに対して一意のＩＤとパスワードを発行するものである。一方、個人情報データベース１２は、その個人情報取得生成部１１により取得されたユーザのメールアドレス，生年月日等の個人情報を記憶し、さらにその個人情報に対応づけられた一意のＩＤとパスワードを記憶するものである。
【００１９】
また一方、身体情報取得生成部１３は、ユーザの身体的特徴等を表す身体情報を取得するものである。すなわち、身体情報取得生成部１３は、図５に示す画面Ｐ１の内容を取得するものである。具体的には、身体情報取得生成部１３は、図５に示すように、体重，身長，ウエスト径，体脂肪率等の基本データ（画面Ｐ１ａ参照）を取得し、中性脂肪，ＨＤＬ−ｃｈｏｌ（ＨＤＬ−ｃｈｏｌｅｓｔｅｒｏｌ），血圧，空腹時血糖値等の健康診断データ（画面Ｐ１ｂ参照）を取得する。さらに、日常運動量（画面Ｐ１ｃ参照）及び一日の摂取カロリー量（画面Ｐ１ｄ参照）を取得することができる。一方、身体情報取得生成部１３は、ユーザが端末２を用いて、画面Ｐ１ｃに示す内容を選択し、「計算する」ボタンを選択した場合に、ユーザが選択した内容に応じた日常運動量を生成する。そして、ユーザが端末２を用いて、画面Ｐ１ｄに示す内容を選択し、「計算する」ボタンを選択した場合には、ユーザが選択した内容に応じた一日の摂取カロリー量を生成することができる。
【００２０】
他方、身体情報演算部１４は、上記身体情報取得生成部１３より取得した身体情報に基づいて、ＢＭＩ（Ｂｏｄｙ  Ｍａｓｓ  Ｉｎｄｅｘ），基礎代謝量，一日に消費するカロリー量，一日に必要なカロリー量等を算出するものである。具体的には、身体情報演算部１４は、ＢＭＩを体重及び身長から算出し、基礎代謝量を身長，年齢及び性別から算出し、一日に消費するカロリー量を日常生活運動量から算出し、一日に必要なカロリー量を基礎代謝量及び日常運動量から算出することができる。
【００２１】
一方、健康判定基準データベース１５は、ユーザの身体の正常又は異常の別を判断するための判定基準が予め格納されており、具体的には、適正なＢＭＩ、又は、メタボリックシンドローム判定基準等が格納されている。
【００２２】
そして診断結果生成部１６は、上記身体情報取得生成部１３により取得した身体情報に基づき診断結果を生成するものである。すなわち、診断結果生成部１６は、図６に示す画面Ｐ２の内容を生成するものである。具体的には、診断結果生成部１６は、図６に示す、身体情報演算部１４によって算出したＢＭＩと健康判定基準データベース１５に格納されている適正なＢＭＩとを比較し、太り過ぎかやせ過ぎか等の診断結果を生成する（画面Ｐ２ａ参照）。また、診断結果生成部１６は、身体情報取得生成部１３によって取得したウエスト径，中性脂肪，ＨＤＬ−ｃｈｏｌ，血圧，空腹時血糖値と、健康判定基準データベース１５に格納されているメタボリックシンドローム判定基準とを比較し、メタボリックシンドローム（通称：メタボ）か否か等の診断結果を生成する（画面Ｐ２ｂ参照）。さらに診断結果生成部１６は、上記身体情報演算部１４にて算出した一日に消費するカロリー量及び基礎代謝量、上記身体情報取得生成部１３にて生成した一日の摂取カロリー量を取得し生成する（画面Ｐ２ｃ参照）。そして、診断結果生成部１６は、上記身体情報演算部１４にて算出した一日に必要なカロリー量から上記身体情報取得生成部１３にて生成した一日の摂取カロリー量を減算し、過剰摂取しているカロリー量を生成すると共に、その過剰摂取しているカロリー量に基づいて日々増加する脂肪量を生成するものである（画面Ｐ２ｄ参照）。
【００２３】
一方、目標設定取得生成部１７は、上記診断結果生成部１６によって生成された診断結果に基づいて上記ユーザの減量目標値を生成すると共に、その減量目標値に上記ユーザが計画的に到達する方法を提案するものである。すなわち、目標設定取得生成部１７は、図７に示す画面Ｐ３の内容を生成するものである。具体的には、目標設定取得生成部１７は、上記診断結果生成部１６にて生成した診断結果に基づいて、どの程度減量すれば上記健康判定基準データベース１５に格納されている判定基準に近づくかを判断した上で減量目標値を生成する（画面Ｐ３ａ参照）。そして、目標設定取得生成部１７は、画面Ｐ３ｂに示す上記減量目標値の達成方法を生成すると共に、ユーザが端末２を用いて、画面Ｐ３ｂに示す内容を選択し、「計算する」ボタンを選択した場合に、ユーザが選択した内容に応じユーザが減量目標値を計画的に達成する方法を生成するものである（画面Ｐ３ｃ参照）。
【００２４】
他方、自己管理情報取得部１８は、ユーザの日々の自己管理情報を取得するものである。すなわち、自己管理情報取得部１８は、図８に示す画面Ｐ４の内容を取得するものである。具体的には、自己管理情報取得部１８は、図８に示すようなユーザの日々の体重，体脂肪率，歩数，血圧等の自己管理情報を取得する。
【００２５】
一方、目標達成率生成部１９は、上記減量目標値及び身体情報、且つ、上記自己管理情報取得部１８にて取得した自己管理情報に基づいて減量目標値の達成率を生成するものである。すなわち、目標達成率生成部１９は、図９に示す画面Ｐ５の内容を生成するものである。具体的には、目標達成率生成部１９は、上記目標設定取得生成部１７にて取得した減量目標値及び上記自己管理情報取得部１８にて取得したユーザの日々の体重より目標達成率及び減量目標値までの体重を生成し（画面Ｐ５ａ参照）、上記目標設定取得生成部１７にて取得した減量目標値及び減量目標値を計画的に達成する方法を取得生成するものである（画面Ｐ５ｂ参照）。
【００２６】
他方、身体管理データベース２０には、上記身体情報取得生成部１３にて取得したユーザの身体的特徴等を表す身体情報、上記身体情報演算部１４にて算出したＢＭＩ，基礎代謝量，一日に消費するカロリー量，一日に必要なカロリー量等、上記診断結果生成部１６にて生成した診断結果、上記目標設定取得生成部１７にて取得した減量目標値等、上記自己管理情報取得部１８にて取得したユーザの日々の体重，体脂肪率，歩数，血圧等の自己管理情報、上記目標達成率生成部１９にて生成された目標達成率及び減量目標値までの体重が記憶されている。さらに、この身体管理データベース２０には、複数のユーザの情報が記憶されているため、上述の記憶情報は、上記個人情報データベース１２に記憶されている個人情報に対応づけられている一意のＩＤと関連付けられて身体管理データベース２０に記憶されている。
【００２７】
そして、ランキング生成部２１は、上記身体管理データベース２０に記憶されている複数のユーザの身体情報等から、その身体情報等のユーザ間のランキングを生成してなるものである。具体的には、図１０に示す画面Ｐ６の内容を生成するものである。すなわち、ランキング生成部２１は、例えば、上記身体管理データベース２０に記憶されているあるユーザの体重あるいはその体重の改善率と他のユーザの体重あるいはその体重の改善率とを比較検討し、あるユーザのランキングを生成するものである（画面Ｐ６ａ参照）。また、ランキング生成部２１は、上記身体管理データベース２０に記憶されている、あるユーザの日々の体重をグラフ化することもできる（画面Ｐ６ｂ参照）。なお、前述と同様の手順により、画面Ｐ６ｃに示す、体脂肪率，ＢＭＩ，歩数等のランキング又はグラフを生成することもできる。
【００２８】
＜健康管理支援システム使用例＞
次に、上記説明した健康管理支援装置１を用いた健康管理支援システムの使用例を図３及び図４のフローチャート図に基づいて説明する。まず、図３を用いて、ユーザが自身の減量目標値を設定するまでの手順を説明する。
【００２９】
ユーザが端末２を用いてネットワークＮを介して健康管理支援装置１に接続すると、中央制御部１０は、ユーザに個人情報の入力を促す画面（図示せず）を端末２に送信する。これにより、ユーザは端末２に送信されてきた画面に基づいて、メールアドレス，生年月日，性別，氏名あるいはニックネーム等を入力する（ステップＳ１）。そして、その入力された個人情報がネットワークＮを介して通信部２２に送信されると、個人情報取得生成部１１は通信部２２より送信されてきた個人情報を取得し、その個人情報を識別するための一意のＩＤ及びパスワードを発行する。それに伴い、中央制御部１０は、ユーザが個人ページにログインするための画面（図示せず）を端末２に送信する（ステップＳ２）。
【００３０】
上記ＩＤ及びパスワードを取得したユーザは、端末２に送信されてきた画面に当該ＩＤ及びパスワードを入力し個人ページにログインする（ステップＳ３）。そして、個人ページにロングインした情報がネットワークＮを介して通信部２２に送信されると、中央制御部１０は、図５に示す画面Ｐ１を端末２に送信し、ユーザに身体情報の入力をするよう促す（ステップＳ４）。これにより、ユーザは端末２を用いて体重や身長等の基本データ（画面Ｐ１ａ参照）、中性脂肪等の健康診断データ（画面Ｐ１ｂ参照）、日常運動量（画面Ｐ１ｃ参照）及び一日の摂取カロリー量（画面Ｐ１ｄ参照）を入力する。その際、ユーザが端末２を用いて日常運動量及び一日の摂取カロリー量を入力する際に、画面Ｐ１ｃに示すラジオボタンあるいは画面Ｐ１ｄに示すチェックボックスを用いて「計算する」ボタンを選択した時は、そのラジオボタンで選択した内容又はチェックボックスで選択した内容がネットワークＮを介して通信部２２に送信される。そして、その内容が通信部２２に送信されると、身体情報取得生成部１３は、その送信内容を取得し、ユーザが選択した内容に応じた日常運動量を生成すると共に、ユーザが選択した内容に応じた一日の摂取カロリー量を生成し、その生成内容を端末２に送信する（ステップＳ６）。これにより、その送信された日常運動量は画面Ｐ１ｃ１に表示され、一日の摂取カロリー量は画面Ｐ１ｄ１に表示される。なお、ユーザに身体情報の入力を促す方法としては、本実施形態にて例示した方法に限らず、例えば体重計や万歩計等の健康器具から出力されるＣＳＶ（Ｃｏｍｍａ  Ｓｅｐａｒａｔｅｄ  Ｖａｌｕｅｓ）ファイルやＸＭＬ（Ｅｘｔｅｎｓｉｂｌｅ  Ｍａｒｋｕｐ  Ｌａｎｇｕａｇｅ）ファイル等を読み込めるようにしても良い。
【００３１】
このように、ユーザが端末２を用いて画面Ｐ１に表示された内容すべての入力をし終えると、ユーザは画面Ｐ１に示す「診断する」ボタンを選択する（ステップＳ７）。これにより、画面Ｐ１に入力された全ての情報がネットワークＮを介して身体情報取得生成部１３に取得される。そして身体情報取得生成部１３は、その取得した情報を身体情報演算部１４、診断結果生成部１６及び身体管理データベース２０に送出する。身体情報演算部１４は、上記身体情報取得生成部１３にて取得した情報に基づきＢＭＩ，基礎代謝量，一日に消費するカロリー量，一日に必要なカロリー量を算出し、診断結果生成部１６及び身体管理データベース２０に送出する。診断結果生成部１６は、上記身体情報取得生成部１３にて取得した情報及び上記身体情報演算部１４にて算出した情報と健康判定基準データベース１５に格納されている内容とを比較し、適正なＢＭＩか又はメタボリックシンドロームか否か、あるいは適正なカロリーを摂取しているか否かの診断結果を生成し、中央制御部１０に送出すると共に、身体管理データベース２０に送出する。そして、身体管理データベース２０は、上記身体情報取得生成部１３に取得した情報、身体情報演算部１４にて算出した情報及び診断結果生成部１６にて生成した診断結果を記憶する。これにより、中央制御部１０は、上記生成された診断結果を組み込んだ画面Ｐ２（図６参照）を端末２に送信する（ステップＳ８）。
【００３２】
ユーザは、端末２に送信された図６に示す画面Ｐ２の診断結果を確認し、端末２を用いて画面Ｐ２の「続いて目標設定」ボタンを選択する（ステップＳ９）。この「続いて目標設定」ボタンが選択されると、目標設定取得生成部１７は、上記診断結果生成部１６にて生成した診断結果に基づき、どの程度減量すれば上記健康判定基準データベース１５に格納されている判定基準に近づくかを判断した上で減量目標値を生成し、さらにその減量目標値の達成方法を生成する。そして、中央制御部１０は、この生成された減量目標値及び達成方法を組み込んだ画面Ｐ３ａ及びＰ３ｂ（図７参照）を端末２に送信する（ステップＳ１０）。
【００３３】
次いでユーザは、端末２に送信された画面Ｐ３ａ及びＰ３ｂを確認し、画面Ｐ３ｂに示すラジオボタンの内容を適宜選択し、「計算する」ボタンを選択する（ステップＳ１１）。これにより、その適宜選択された内容がネットワークＮを介して通信部２２に送信され、目標設定取得生成部１７にて、上記ユーザが適宜選択した達成方法に対応した計画的な減量方法が生成される。中央制御部１０は、この生成された計画的な減量方法を組み込んだ画面Ｐ３ｃ（図７参照）を端末２に送信する（ステップＳ１２）。そして、ユーザは端末２に送信された図７に示す画面Ｐ３ｃを確認し、「これで目標設定」ボタンを選択する（ステップＳ１３）。これにより、中央制御部１０は、目標設定取得生成部１７にて生成した計画的な減量方法を記憶するよう身体管理データベース２０に指令し、身体管理データベース２０は、その指示内容に基づいて計画的な減量方法を記憶する（ステップＳ１４）。
【００３４】
次に、図４を用いて、ユーザの日々の体重，体脂肪率，歩数，血圧等の情報を記録し、ランキングが表示されるまでのフローを説明する。
【００３５】
ユーザが、端末２を用いてネットワークＮを介して健康管理支援装置１に接続すると、中央制御部１０は、個人ページにログインする画面を端末２に送信する。これにより、ユーザは、端末２に送信された画面に基づいてＩＤ及びパスワードを入力し、個人ページにログインする（ステップＳ２０）。
【００３６】
そして、個人ページにログインした情報がネットワークＮを介して通信部２２に送信されると、中央制御部１０は、図８に示す画面Ｐ４を端末２に送信し、ユーザに自己管理情報の入力を促す（ステップＳ２１）。これにより、ユーザは端末２を用いて、図８に示す画面Ｐ４の内容に従い、日付、体重、体脂肪率、歩数、血圧等の日々の自己管理情報を入力し、その入力後「記録する」ボタンを選択する（ステップＳ２２）。なお、ユーザに自己管理情報の入力を促す方法としては、本実施形態にて例示した方法に限らず、例えば体重計や万歩計等の健康器具から出力されるＣＳＶ（Ｃｏｍｍａ  Ｓｅｐａｒａｔｅｄ  Ｖａｌｕｅｓ）ファイルやＸＭＬ（Ｅｘｔｅｎｓｉｂｌｅ  Ｍａｒｋｕｐ  Ｌａｎｇｕａｇｅ）ファイル等を読み込めるようにしても良い。
【００３７】
そして、この「記録する」ボタンが選択されると、上記入力された自己管理情報の内容がネットワークＮを介して通信部２２に送信され、自己管理情報取得部１８に取得される。これにより、中央制御部１０は、その取得した内容を記憶するよう身体管理データベース２０に指令し、その指令によって、身体管理データベース２０は、その取得内容を記憶する。そして、身体管理データベース２０に自己管理情報取得部１８にて取得した内容が記憶されると、目標達成率生成部１９は、上記身体管理データベース２０に記憶されている上記目標設定取得生成部１７にて取得した減量目標値及び上記自己管理情報取得部１８にて取得した体重を読み出し、目標達成率を生成すると共に減量目標値までの体重を生成する。さらに、目標達成率生成部１９は、身体管理データベース２０に記憶されている上記目標設定取得生成部１７にて取得した減量目標値を計画的に達成する方法を読み出すと共に、生成した目標達成率及び減量目標値までの体重を身体管理データベース２０に送出する。そして、身体管理データベース２０は、生成した目標達成率及び減量目標値までの体重を記憶する。これにより、中央制御部１０は、上記目標達成率生成部１９にて生成された目標達成率と身体管理データベース２０より取得した減量目標値を計画的に達成する方法を組み込んだ画面Ｐ５（図９参照）を端末２に送信する（ステップＳ２３）。
【００３８】
ユーザは、その端末２に送信された画面Ｐ５（図９参照）を確認し、ランキングの生成を健康管理支援装置１に指示するために、図９に示す画面Ｐ５のヘッダ部分Ｐ５ｃに示す「ランキング」ボタンを選択する（ステップＳ２４）。この「ランキング」ボタンが選択されると、中央制御部１０は、ランキング生成部２１にランキングを生成するように指令し、その指令を受けたランキング生成部２１は、上記身体管理データベース２０に記憶されている当該ユーザの身体情報等と上記身体管理データベース２０に記憶されている他のユーザの身体情報等を比較検討し、当該ユーザの身体情報等のランキングを生成する。さらに、ランキング生成部２１は、上記身体管理データベース２０に記憶されている当該ユーザの身体情報等を読み出しグラフを生成する。これにより、中央制御部１０は、上記生成されたランキング及びグラフを組み込んだ画面Ｐ６（図１０参照）を端末２に送信する（ステップＳ２５）。
【００３９】
しかして、ユーザは、この端末２に送信された画面Ｐ６を確認することにより、自身のランキング及びグラフを確認することができる（ステップＳ２６）。
【００４０】
以上説明した本実施形態によれば、ユーザより入力された当該ユーザの身体的特徴等を表す身体情報を身体情報取得生成部１３にて取得し、診断結果生成部１６にてその取得した身体情報の診断結果を健康判定基準データベース１５に格納されている身体の正常又は異常の別を判断するための判定基準に基づいて生成する。そして、その生成した診断結果に基づいて目標設定取得生成部１７にて上記ユーザの減量目標値を生成すると共に、その減量目標値に上記ユーザが計画的に到達する方法を提案する。それゆえ、本実施形態によれば、ユーザに科学的根拠に基づいた診断結果を提示することが可能となり、さらには、当該ユーザに対してその診断結果に基づいた有効な減量方法を提案することができる。
【００４１】
また、本実施形態によれば、自己管理情報取得部１８にて取得した日付、体重、体脂肪率、歩数、血圧等の日々の自己管理情報と身体管理データベース２０に記憶されている減量目標値及び身体情報に基づいて目標達成率生成部１９にて減量目標値の達成率を生成することができる。それゆえ、本実施形態によれば、ユーザは減量目標値に対する達成率を確認することができるため、達成率を増加させようという意欲が高まり、それによって、ユーザは継続して生活習慣の改善を行うことができる。
【００４２】
一方、本実施形態によれば、身体管理データベース２０には、複数のユーザの身体情報等が記憶され、ランキング生成部２１は、その複数のユーザ情報を用いて、ユーザ間の身体情報等のランキングを生成することができる。それゆえ、ユーザはランキングを上げようという意欲が高まり、それによって、より継続して生活習慣の改善を行うことができる。
【００４３】
＜第２実施形態＞
次に、本発明に係る健康管理支援装置の第２実施形態について、図１１〜図１３を参照して具体的に説明する。なお、第１実施形態と同一構成については、同一の符号を付し、説明は省略する。すなわち、第１実施形態に係る健康管理支援装置１と本実施形態に係る健康管理支援装置５０との相違点は、図２と図１１を比較すれば明らかなように、第１実施形態に係る健康管理支援装置１がランキング生成部２１を有しているのに対し、本実施形態に係る健康管理支援装置５０が偏差値生成部５１を有している点である。そのため、以下では、その相違点について説明することとする。
【００４４】
図１１に示すように、健康管理装置支援装置５０は偏差値生成部５１を有しており、この偏差値生成部５１は、上記身体管理データベース２０に記憶されている複数のユーザの身体情報等から、その身体情報等のユーザ間の偏差値を生成してなるものである。具体的には、図１３に示す画面Ｐ１１の内容を生成するものである。すなわち、偏差値生成部５１は、例えば、上記身体管理データベース２０に記憶されているあるユーザの体重あるいはその体重の改善率と他のユーザの体重あるいはその体重の改善率とを比較検討し、あるユーザの偏差値を生成するものである（画面Ｐ１１ａ参照）。また、偏差値生成部５１は、上記身体管理データベース２０に記憶されている、あるユーザの日々の体重をグラフ化することもできる（画面Ｐ１１ｂ参照）。なお、前述と同様の手順により、画面Ｐ１１ｃに示す、体脂肪率，ＢＭＩ，歩数等の偏差値又はグラフを生成することもできる。
【００４５】
次に、このように構成される健康管理支援装置５０を用いた健康管理支援システムの使用例を説明すると、このシステムの使用例は、第１実施形態で説明した図４のステップＳ２４〜Ｓ２６の内容が異なるのみでそれ以外は同一である。そのため、その異なる点のみを、図４のステップＳ２４〜Ｓ２６の内容に沿って説明することとする。
【００４６】
具体的には、ユーザは、端末２に送信された画面Ｐ１０（図１２参照）を確認し、偏差値の生成を健康管理支援装置５０に指示するために図１２に示す画面Ｐ１０のヘッダ部分Ｐ１０ｃに示す「偏差値」ボタンを選択する（図４のステップＳ２４参照）。この「偏差値」ボタンが選択されると、中央制御部１０は、偏差値生成部５１に偏差値を生成するように指令し、その指令を受けた偏差値生成部５１は、上記身体管理データベース２０に記憶されている当該ユーザの身体情報等と上記身体管理データベース２０に記憶されている他のユーザの身体情報等とを比較検討し、当該ユーザの身体情報等の偏差値を生成する。そして、偏差値生成部５１は、上記身体管理データベース２０に記憶されている当該ユーザの身体情報等を読み出しグラフを生成する。これにより、中央制御部１０は、上記生成された偏差値及びグラフを組み込んだ画面Ｐ１１（図１３参照）を端末２に送信する（図４のステップＳ２５参照）。
【００４７】
しかして、ユーザは、この端末２に送信された画面Ｐ１１を確認することにより、自身の偏差値及びグラフを確認することができる（図４のステップＳ２６参照）。
【００４８】
以上説明した本実施形態によれば、身体管理データベース２０には、複数のユーザの身体情報等が記憶され、偏差値生成部５１は、その複数のユーザ情報を用いて、ユーザ間の身体情報等の偏差値を生成することができる。それゆえ、ユーザは偏差値を上げようという意欲が高まり、それによって、より継続して生活習慣の改善を行うことができる。
【００４９】
なお、本実施形態に係る健康管理支援装置に、第１実施形態にて説明したランキング生成機能を適用させても良いことは言うまでもない。
【００５０】
＜第３実施形態＞
次に、本発明に係る健康管理支援装置の第３実施形態について、図１４〜図１８を参照して具体的に説明する。なお、第１実施形態と同一構成については、同一の符号を付し、説明は省略する。すなわち、第１実施形態に係る健康管理支援装置１と本実施形態に係る健康管理支援装置１００との相違点は、図２と図１４を比較すれば明らかなように、第１実施形態に係る健康管理支援装置１がランキング生成部２１を有しているのに対し、本実施形態に係る健康管理支援装置１００がキャラクタ生成基準データベース１０１とキャラクタ生成部１０２を有している点である。そのため、以下では、その相違点について説明することとする。
【００５１】
図１４に示すように、健康管理装置支援装置１００はキャラクタ生成基準データベース１０１とキャラクタ生成部１０２とを有している。キャラクタ生成基準データベース１０１は、年齢データベース１０１ａ，ＢＭＩデータベース１０１ｂ，中性脂肪データベース１０１ｃ等の身体情報の各項目に応じたデータベースが夫々格納されている。
【００５２】
すなわち、年齢データベース１０１ａには、年齢に応じたキャラクタ生成の際に必要な情報である体力，攻撃力，守備力，すばやさ，スタイル，ＬＩＦＥの割合が格納され、ＢＭＩデータベース１０１ｂには、ＢＭＩの値に応じたキャラクタ生成の際に必要な情報（体力，攻撃力，守備力，すばやさ，スタイル，ＬＩＦＥ）の割合が格納されている。そして、中性脂肪データベース１０１ｃには、中性脂肪の値に応じたキャラクタ生成の際に必要な情報（体力，攻撃力，守備力，すばやさ，スタイル，ＬＩＦＥ）の割合が格納されている。
【００５３】
一方、キャラクタ生成部１０２は、少なくとも自己管理情報取得部１８にて取得したユーザの日々の自己管理情報が記憶されている上記身体管理データベース２０よりキャラクタ生成に必要な情報のみを取り出し、上記キャラクタ生成基準データベース１０１よりその取り出した情報に該当する割合を検索する。そして、体力，攻撃力，守備力，すばやさ，スタイル，ＬＩＦＥ等の夫々の基準値（例えば１００）にその検索した割合を乗算することで、体力，攻撃力，守備力，すばやさ，スタイル，ＬＩＦＥ等のパラメータを算出し、キャラクタを生成するというものである。さらに、キャラクタ生成部１０２は、上記身体管理データベース２０に記憶されている、あるユーザの日々の体重をグラフ化することもできる（図１８の画面Ｐ２１ｂ参照）。なお、図１８の画面Ｐ２１ｃに示すように、キャラクタ生成部１０２は、体脂肪率，ＢＭＩ，歩数等のグラフを生成することもできる。
【００５４】
ここで、キャラクタ生成部１０２のキャラクタ生成の処理内容をより分かりやすくするために、図１６に示す具体例を用いてキャラクタ生成部１０２のキャラクタ生成の処理内容を説明する。
【００５５】
キャラクタ生成基準データベース１０１に、例えば、図１５に示す年齢データベース１０１ａ，ＢＭＩデータベース１０１ｂ，中性脂肪データベース１０１ｃのみが格納され、上記身体管理データベース２０に、例えば、図１６（ａ）に示すような身体情報等が格納されていたとすると、キャラクタ生成部１０２は、上記身体管理データベース２０よりキャラクタ生成に必要な情報である年齢，ＢＭＩ，中性脂肪の情報のみを取り出す。そして、キャラクタ生成部１０２は、上記キャラクタ生成基準データベース１０１より取り出した情報に該当する割合を検索する。すなわち、年齢は「２０」であるため、その年齢に対応した割合を検索すると、体力の割合は「１００％」、攻撃力の割合は「１００％」、守備力の割合は「７０％」、すばやさの割合は「１００％」、スタイルの割合は「１００％」、ＬＩＦＥの割合は「１００％」となる。そして、ＢＭＩは「２４」であるため、そのＢＭＩに対応した割合を検索すると、体力の割合は「９０％」、攻撃力の割合は「９０％」、守備力の割合は「９０％」、すばやさの割合は「９０％」、スタイルの割合は「９０％」、ＬＩＦＥの割合は「９０％」となる。さらに、中性脂肪は「３００」であるため、その中性脂肪に対応した割合を検索すると、体力の割合は「１００％」、攻撃力の割合は「１００％」、守備力の割合は「５０％」、すばやさの割合は「８０％」、スタイルの割合は「１００％」、ＬＩＦＥの割合は「８５％」となる。
【００５６】
このように、キャラクタ生成部１０２は、キャラクタ生成基準データベース１０１より割合を検索した後、体力，攻撃力，守備力，すばやさ，スタイル，ＬＩＦＥ等の夫々の基準値（例えば１００）にその検索した割合を乗算する。これにより、図１６（ｂ）に示すパラメータが生成される。すなわち、体力，攻撃力，守備力，すばやさ，スタイル，ＬＩＦＥ夫々の基準値を１００とすると、体力のパラメータは、１００×１００／１００（年齢の割合）×９０／１００（ＢＭＩの割合）×１００／１００（中性脂肪の割合）＝９０となる。また、攻撃力のパラメータは、１００×１００／１００（年齢の割合）×９０／１００（ＢＭＩの割合）×１００／１００（中性脂肪の割合）＝９０となる。そして、守備力のパラメータは、１００×７０／１００（年齢の割合）×９０／１００（ＢＭＩの割合）×５０／１００（中性脂肪の割合）＝３１．５となる。さらに、すばやさのパラメータは、１００×１００／１００（年齢の割合）×９０／１００（ＢＭＩの割合）×８０／１００（中性脂肪の割合）＝７２となる。また、スタイルのパラメータは、１００×１００／１００（年齢の割合）×９０／１００（ＢＭＩの割合）×１００／１００（中性脂肪の割合）＝９０となり、ＬＩＦＥのパラメータは、１００×１００／１００（年齢の割合）×９０／１００（ＢＭＩの割合）×８５／１００（中性脂肪の割合）＝７６．５となる。これにより、図１６（ｂ）に示すパラメータが生成される。
【００５７】
そしてこのように、キャラクタ生成部１０２は、体力，攻撃力，守備力，すばやさ，スタイル，ＬＩＦＥのパラメータを夫々生成することにより、図１８に示す画面Ｐ２１ａに示すようなキャラクタを生成するというものである。
【００５８】
次に、上記のように構成される健康管理支援装置１００を用いた健康管理支援システムの使用例を示すと、このシステムの使用例は、第１実施形態で説明した図４のステップＳ２４〜Ｓ２６の内容が異なるのみでそれ以外は同一である。そのため、その異なる点のみを、図４のステップＳ２４〜Ｓ２６の内容に沿って説明することとする。
【００５９】
具体的には、ユーザは、端末２に送信された画面Ｐ２０（図１７参照）を確認し、キャラクタの生成を健康管理支援装置１００に指示するために図１７に示す画面Ｐ２０のヘッダ部分Ｐ２０ｃに示す「キャラクタ」ボタンを選択する（図４のステップＳ２４参照）。この「キャラクタ」ボタンが選択されると、中央制御部１０は、キャラクタ生成部１０２にキャラクタを生成するように指令する。そしてその指令を受けたキャラクタ生成部１０２は、少なくとも自己管理情報取得部１８にて取得したユーザの日々の自己管理情報が記憶されている上記身体管理データベース２０よりキャラクタ生成に必要な情報のみを取り出し、上記キャラクタ生成基準データベース１０１よりその取り出した情報に該当する割合を検索し、その割合に応じたキャラクタを生成する。そしてさらに、キャラクタ生成部１０２は、上記身体管理データベース２０に記憶されている当該ユーザの身体情報等を読み出しグラフを生成する。これにより、中央制御部１０は、上記生成されたキャラクタ及びグラフを組み込んだ画面Ｐ２１（図１８参照）を端末２に送信する（図４のステップＳ２５参照）。
【００６０】
しかして、ユーザは、この端末２に送信された画面Ｐ２１を確認することにより、自身のキャラクタ及びグラフを確認することができる（図４のステップＳ２６参照）。
【００６１】
以上説明した本実施形態によれば、少なくとも上記自己管理情報取得部１８にて取得したユーザの日々の自己管理情報を用いて、キャラクタ生成部１０２によって当該情報に対応するキャラクタを生成することができる。それゆえ、ユーザは、より良いキャラクタを生成しようという意欲が高まり、それによって、さらに継続して生活習慣の改善を行うことができる。
【００６２】
一方、上述したように、キャラクタを生成するのみならず、その生成されたキャラクタを用いて、キャラクタ同士を戦わせたり、キャラクタに服を着せたり等、生成されたキャラクタを様々な方法で使用できるようにすれば、よりユーザの意欲が高まり、さらに継続して生活習慣の改善を行うことができる。
【００６３】
なお、本実施形態にて示したキャラクタ生成方法は、あくまで一例であり、何ら限定されるものではなく、様々な方法を用いることができる。例えば、身体情報等の数値に応じたキャラクタ生成に必要なパラメータ（例えば、体力、攻撃力、守備力等）をキャラクタ生成基準データベース１０１のようなデータベースに予め格納しておき、その予め格納しておいたパラメータをキャラクタ生成部で読み出し、その読み出したパラメータに応じたキャラクタを生成するというような方法でも良い。
【００６４】
また、本実施形態に係る健康管理支援装置に、第１実施形態にて説明したランキング生成機能及び／又は第２実施形態にて説明した偏差値生成機能を適用させても良いことは言うまでもない。
【００６５】
一方、上記説明した第１実施形態〜第３実施形態に示した健康管理支援装置は、一台の健康管理支援装置で構築する例を示したが、勿論、処理を分散させ複数台で構築しても良い。
【００６６】
また、上記説明した第１実施形態〜第３実施形態に示した健康管理支援装置は、ネットワークＮを介して複数の端末２と接続する例を示したが、上記健康管理支援装置にキーボードやマウス等の入力部を設けて、ユーザが当該装置に直接入力するようにしても良い。
【００６７】
さらに、上記説明した第１実施形態〜第３実施形態に示した健康管理支援装置を用いた健康管理支援システムの使用例は、あくまで一例であり、図３及び図４に示す使用例に限定されるものではない。
【符号の説明】
【００６８】
１，５０，１００      健康管理支援装置
２                    端末
１３                  身体情報取得生成部（身体情報取得手段）
１４                  身体情報演算部
１５                  健康判定基準データベース
１６                  診断結果生成部（診断結果生成手段）
１７                  目標設定取得生成部（目標設定支援手段）
１８                  自己管理情報取得部（自己管理情報取得手段）
１９                  目標達成率生成部（目標達成率生成手段）
２０                  身体管理データベース
２１                  ランキング生成部（ランキング生成手段）
５１                  偏差値生成部（偏差値生成手段）
１０１                キャラクタ生成基準データベース
１０２                キャラクタ生成部（キャラクタ生成手段）
【図１】
2012128768.tif 000003
【図２】
2012128768.tif 000004
【図３】
2012128768.tif 000005
【図４】
2012128768.tif 000006
【図５】
2012128768.tif 000007
【図６】
2012128768.tif 000008
【図７】
2012128768.tif 000009
【図８】
2012128768.tif 000010
【図９】
2012128768.tif 000011
【図１１】
2012128768.tif 000012
【図１２】
2012128768.tif 000013
【図１３】
2012128768.tif 000014
【図１４】
2012128768.tif 000015
【図１５】
2012128768.tif 000016
【図１６】
2012128768.tif 000017
【図１７】
2012128768.tif 000018
【図１８】
2012128768.tif 000019
【図１０】
2012128768.tif 000020